(57)【要約】本発明は、単色または多色のＬＥＤ素子が備えられた携帯型信号灯に必要な動作電力を本体に備えられた発電機から発電して印加しながら、その発電機に着脱可能に結合された充電池パックの充電電源を外部の電源負荷機器の動作電力としても印加するようにした、発電機が結合された携帯型信号灯を提供する。本発明の好ましい実施例によれば、発光部１０を構成する発光部本体１００の中空内部に設けられる垂直延長パネル１０６には複数のＬＥＤ素子が設置され、その発光部本体１００の外側には照明のためのランプ１１０が設けられる。前記発光部本体１００の下端には前記ＬＥＤ素子と前記ランプ１１０の駆動に必要な電源を磁気的に発電するための発電機２０が一体または着脱可能に形成される。前記発電機２０には、その発電機２０から発電された電源を充電して前記発光部１０の駆動に適用するか、携帯用の無線機４０を含む外部の電源負荷機器に動作電力として印加するための充電池パック２１０が着脱自在に結合される。好ましくは、前記ＬＥＤ素子は、単色発光が想定される場合には赤色の発光のためのＬＥＤ素子が備えられ、多色発光が想定される場合には赤色の発光のための第１列のＬＥＤ素子１０８ａと緑色の発光のための第２列のＬＥＤ素子１０８ｂが備えられる。このように多色発光が想定される場合、前記発光部本体１００の内壁面には緑色の発光シート１０４が貼り付けられる。
2004515885.tif 000002
【特許請求の範囲】
【請求項１】
本体の内壁面に発光シートが貼り付けられ、前記本体の中空内部に垂直方向に延設された垂直延設パネルには複数のＬＥＤ素子が一定間隔に配設されるとともに、照明のためのランプが一体に結合された発光部と、
前記発光部の前記ＬＥＤ素子と前記ランプ、および外部の電源負荷機器に動作電力として印加される電源を発電する発電機器とを備えたことを特徴とする、発電機を備えた携帯型信号灯。
【請求項２】
前記発電機の本体は、前記発光部の発光部本体に一体に結合されたことを特徴とする請求項１に記載の発電機を備えた携帯型信号灯。
【請求項３】
前記発電機の本体は、前記発光部の発光部本体に着脱可能に結合されたことを特徴とする請求項１に記載の発電機を備えた携帯型信号灯。
【請求項４】
前記発電機は、本体に一端が旋回可能に結合されながら外力を伝達するための伝達レバーが一体形成された作動レバーと、前記伝達レバーを介して伝達される外力に応答して回転する複数の歯車と、前記複数の歯車の変速回転により回転して発電するジェネレータモジュールと、前記作動レバーの加圧作用力が解除される場合に前記ジェネレータモジュールに逆回転力が加えられないように逆回転防止構造を有する逆回転防止歯車と、前記逆回転防止歯車を介して伝達される回転を前記ジェネレータモジュールの軸歯車に伝達するための中間歯車と、前記ジェネレータモジュールから発電された電圧を外部に給電するための給電ポートと、前記本体に着脱可能に装着されて前記給電ポートから前記電源を受けて充電する充電池パックとを備えて構成されたことを特徴とする請求項１に記載の発電機を備えた携帯型信号灯。
【請求項５】
前記ジェネレータモジュールのローターの内壁面にはＮ極とＳ極が傾斜して着磁されたマグネット部材が設置されたことを特徴とする請求項４に記載の携帯型信号灯。
【請求項６】
前記ジェネレータモジュールの前記ローターの上側には、慣性回転力を増加させるための重りがさらに備えられたことを特徴とする請求項４または５に記載の発電機を備えた携帯型信号灯。
【請求項７】
内壁面に発光シートが貼り付けられ、その内部の垂直延長パネル上には異なるカラーに発光する第１および第２列のＬＥＤ素子が設置されるとともに、その外側一面にランプが一体結合された本体を備えた発光部と、
前記発光部本体に結合されて前記第１および第２列のＬＥＤ素子と前記ランプに動作電力を発電して印加する発電機とを備えていることを特徴とする、発電機を備えた携帯型信号灯。
【請求項８】
前記第１列のＬＥＤ素子は赤色発光を、前記第２列のＬＥＤ素子は緑色発光を示し、前記発光部本体には前記第１および第２列のＬＥＤ素子の選択的な駆動および前記ランプの駆動のための電源スイッチが備えられたことを特徴とする請求項７に記載の発電機を備えた携帯型信号灯。
【請求項９】
前記発光シートのカラーは緑色であることを特徴とする請求項７または８に記載の携帯型信号灯。
【請求項１０】
前記発電機は、前記発光部本体の下側に一体結合されたことを特徴とする請求項７に記載の発電機を備えた携帯型信号灯。
【請求項１１】
前記発電機は、前記発光部本体の下側に着脱可能に結合されたことを特徴とする請求項７に記載の発電機を備えた携帯型信号灯。
【請求項１２】
前記発電機は、本体に一端が旋回可能に結合されながら外力を伝達するためのレバーが一体形成された作動レバーと、前記レバーを介して伝達される外力に応答して回転する複数の歯車と、前記複数の歯車の変速回転により回転して発電するジェネレータモジュールと、前記作動レバーの加圧作用力が解除される場合に前記ジェネレータモジュールに逆回転力が加えられないように逆回転防止構造を有する逆回転防止歯車と、前記逆回転防止歯車を介して伝達される回転を前記ジェネレータモジュールの軸歯車に伝達するための中間歯車と、前記ジェネレータモジュールから発電された電圧を外部に給電するための給電ポートと、前記本体に着脱可能に装着されて前記給電ポートから前記電源を受けて充電する充電池パックとを備えて構成されたことを特徴とする請求項７に記載の発電機を備えた携帯型信号灯。
【請求項１３】
前記ジェネレータモジュールのローターの内壁面には、Ｎ極とＳ極が傾斜して着磁されたマグネット部材が設置されたことを特徴とする請求項１２に記載の発電機を備えた携帯型信号灯。
【請求項１４】
前記ジェネレータモジュールの前記ローターの上側には、慣性回転力を増加させるための重りがさらに備えられたことを特徴とする請求項１２または１３に記載の発電機を備えた携帯型信号灯。
【発明の詳細な説明】
【０００１】
＜＜技術分野＞＞
本発明は、発電機を備えた携帯型信号灯に関し、特に、その下端に結合された発電機から発生された動作電力により単一のカラーまたは多種のカラーの光を発するように設計された発電機を備えた携帯型信号灯に関する。
【０００２】
＜＜背景技術＞＞
従来、夜間に、車両通行などの交通状況を人為的に整理する場合には単色（たいてい赤色）の光を発する携帯型信号灯を使用するのが一般的であった。
【０００３】
従来の信号灯は、通常、円筒形の赤色の棒本体の内側に少なくとも一つのランプまたは複数のＬＥＤ素子を備え、電源スイッチをＯＮすることによりそのランプまたは複数のＬＥＤを点灯または点滅させて赤色の光を発する構成となっており、その光を利用して車両や歩行者の通行を制御する。
【０００４】
また、複数のＬＥＤ素子を円筒形の棒本体上に設け、それらを所定のシーケンスに従って点滅制御することによって特定形状または文字を残像効果で表示し、交通整理（通行止め、取締りなど）状況を案内する携帯型信号灯も提案されている。
【０００５】
この種の携帯型信号灯は、単に交通整理に限定されるのではなく、例えば、夜間に建設現場で使用されたり、遠距離に位置する相手側との手信号を取り交わしたりする時等に使用されている。
【０００６】
ところで、通常の携帯型信号灯は、その電源としてバッテリを使用するため、そのバッテリの電圧が一定のレベル以下に放電されるとバッテリを入れ替えなければならない。そのため、バッテリから動作電力が印加される方式の携帯型信号灯はバッテリの交換管理が相当面倒になる以外に、経済的な面でも不利であった。
【０００７】
また、交通整理を行う要員は、交通情報を交換するために携帯用の無線送信機を持ち運ぶが、この携帯用の無線送信機も、携帯型信号灯と同様に、たいてい動作電力を受けるためにバッテリを使用しなければならないので、そのバッテリの交換管理が面倒である上に、経済的な面でも不利である。
【０００８】
また、夜間に車両に搭乗した運転者や搭乗者の身分確認のためには、通常、携帯型信号灯とは別途の照明機器（懐中電灯等）を備えなければならないが、その照明機器にもバッテリによる動作電力の供給が必要なため、バッテリの交換管理が面倒で、経済的な面で不利であった。
【０００９】
しかも、携帯型信号灯は単色（つまり、赤色）の発光機能のみを持つように設計されていたため、例えば、車両の通行と停止または歩行者の通行と停止に関する制御が同一カラーの光により行われ、その結果、運転者や歩行者が通行と停止などの状況判断を誤る恐れもあった。
【００１０】
＜＜発明の開示＞＞
したがって、本発明は、上記の従来技術の問題点に鑑みてなされたものであり、その目的は、一体型または着脱可能に取り付けられた発電機から動作電力が供給され、一定地域の照明のための照明ランプが一体に取り付けられるとともに、携帯用の無線機を含む外部の電源負荷機器に充電電源を供給するように設計された、発電機を備えた携帯型信号灯を提供することにある。
【００１１】
本発明の他の目的は、携帯型信号灯の下側に一体型または着脱可能に取り付けられた発電機の回転トルクが向上するように改良し、充電池パックが着脱自在に装着されるようにして、その発電機から供給される電源によって発光ランプ（または、発光ＬＥＤ素子）が点灯／点滅しながらその充電池パックに充電された電源が携帯用の無線送信機などの外部の電源負荷機器に動作電力として供給されるようにした、発電機を備えた携帯型信号灯を提供することにある。
【００１２】
本発明のさらに他の目的は、発電機から発電された電源によって作動しながら、単一のカラーまたは多種のカラーで発光機能が具現されるようにした、発電機を備えた携帯型信号灯を提供することにある。
【００１３】
上記の目的を達成するために、本発明の好ましい一実施様態によれば、その本体の内壁面に発光シートが貼り付けられ、その本体の中空内部に垂直方向に延設された垂直延設パネルには複数のＬＥＤ素子が一定間隔に配設されるとともに、照明のためのランプが一体に結合された発光部と、前記発光部の前記ＬＥＤ素子と前記ランプ、および外部の電源負荷機器に動作電力として印加される電源を発電する発電機器とを備えている、発電機を備えた携帯型信号灯が提供される。
【００１４】
前記発電機の本体は、前記発光部の本体に一体に結合されるか、前記発光部の本体に着脱可能に結合される。
【００１５】
好ましくは、前記発電機は、本体に一端が旋回可能に結合されながら外力を伝達するための伝達レバーが一体形成された作動レバーと、前記伝達レバーを介して伝達される外力に応答して回転する複数の歯車と、前記複数の歯車の変速回転により回転して発電するジェネレータモジュールと、前記作動レバーの外力が解除される場合に前記ジェネレータモジュールに逆回転力が加えられないように逆回転防止構造を有する逆回転防止歯車と、前記逆回転防止歯車を介して伝達される回転を前記ジェネレータモジュールのシャフトギアに伝達するための中間歯車と、前記ジェネレータモジュールから発電された電圧を外部に給電するための給電ポートと、前記本体に着脱可能に装着されて前記給電ポートから前記電源を受けて充電する充電池パックとを備えて構成される。
【００１６】
前記ジェネレータモジュールのローターの内壁面には、Ｎ極とＳ極が傾斜して着磁されたマグネット部材が設置され、前記ジェネレータモジュールの前記ローターの上側には、慣性回転力を増加させるための重りがさらに備えられる。
【００１７】
本発明による好ましい第２実施様態によれば、内壁面に発光シートが貼り付けられ、その内部の垂直延長パネル上には異なるカラーに発光する第１および第２列のＬＥＤ素子が設置されるとともに、その外側一面にランプが一体結合された本体を備えた発光部と、前記発光部本体に結合されて前記第１および第２列のＬＥＤ素子と前記ランプに動作電力を発電して印加する発電機とを備えている、発電機を備えた携帯型信号灯が提供される。
【００１８】
前記第１列のＬＥＤ素子は赤色発光を、前記第２列のＬＥＤ素子は緑色発光を示し、前記発光部本体には前記第１および第２列のＬＥＤ素子の選択的な駆動および前記ランプの駆動のための電源スイッチが備えられる。
【００１９】
好ましくは、前記発光シートのカラーは緑色である。
【００２０】
また、前記発電機は、前記発光部本体の下側に一体結合されるか、前記発光部本体の下側に着脱可能に結合されるのが好ましい。
【００２１】
好ましくは、前記発電機には、発電された電源を充電して外部に供給するための充電池パックが着脱可能に装着される。
【００２２】
また、前記発電機に構成されるジェネレータモジュールのローターの内壁面には、Ｎ極とＳ極が傾斜して着磁されたマグネット部材が設置される。
【００２３】
前記ジェネレータモジュールの前記ローターには、慣性回転力を増加させるための重りがさらに備えられる。
【００２４】
＜＜発明の最良の実施形態＞＞
図１は、本発明の好ましい第１実施例による、発電機を備えた携帯型信号灯の概略斜視図である。
図１において、参照符号１０は、該当する携帯型信号灯を構成する、特定のカラーの発光構造が設計された発光部を示し、参照符号２０は、前記発光部１０に一体に結合されてその発光部１０に必要な動作電圧や外部の電源負荷機器（例えば、携帯用の無線送信機）に動作電圧を供給するための発電機を示す。
【００２５】
前記発光部１０は、円筒形状の発光部本体１００の内壁面に光を発散させるための発光シート１０４が貼り付けられ、その発光部本体１００の中空内部には垂直方向に延設される垂直延設パネル１０６が固定設置され、該垂直延設パネル１０６には赤色発光可能な複数のＬＥＤ素子１０８が一定間隔で配設される。
【００２６】
また、前記発光部本体１００の一側面の所定位置には一定範囲を照らすためのランプ１１０が一体に固定設置され、その裏側の側面の所定位置には前記ＬＥＤ素子１０８の点灯のための接点とそのＬＥＤ素子１０８が点灯された状態で前記ランプ１１０まで点灯させるための接点が備えられた、スライド方式の電源スイッチ１１２が設置される。
【００２７】
図２ないし図５は、図１に示した携帯型信号灯に適用可能な発電機を示す図である。
図のように、前記発電機２０は、その発電機本体２００の一側面に外力を加えるための作動レバー２０２が、旋回軸２０４により旋回可能に結合され、その作動レバー２０２のほぼ下側には外力を伝達するために上側面に歯車列が形成された横方向の伝達レバー２０６が一体形成される。
【００２８】
好ましくは、前記作動レバー２０２は、前記発電機本体２００の一側面を凹状に形成し、前記発電機本体２００の底面に設けられたロック部材２００ａをその作動レバー２０２に係合することによって、前記作動レバー２０２が前記発電機本体２００の一側面に形成された凹部に収納されるようにする。
【００２９】
前記発電機本体２００の一側面上端には、発電された電力を、電力線３０を介して外部的な電源負荷機器である、例えば携帯用の無線送信機（図１の４０）または前記発光部１０のＬＥＤ素子１０８へ動作電力として供給するための給電ポート２０８が形成される。
【００３０】
また、前記発電機本体２００の背面には、複数の充電セルが内蔵された充電池パック２１０が着脱自在に取り付けられるが、該充電池パック２１０の背面には上端が内向きに折り曲げられた複数の結合突起２１２が一体に形成される。したがって、それら結合突起２１２を前記発電機本体２００の背面に形成された対応する円弧状結合口２１４に挿入して一方向に回転させると、それら結合突起２１２が前記結合口２１４に安定に結合され、一方、前記充電池パック２１０を逆方向に回転させると前記結合口２１４から前記結合突起２１２が取り外され、充電池パック２１０の分離が可能になる。
【００３１】
前記充電池パック２１０の上側にも、前記給電ポート２０８から前記電力線３０を介して電源を受けて充電し、その充電された電源を外部の電源負荷機器として例示された携帯用の無線送信機４０に供給するための電源ポート２１６が備えられる。
【００３２】
そして、前記発電機本体２００内には第１回転軸２２０ａによって回転可能に支持される第１回転歯車２２０が設けられるが、該第１回転歯車２２０は、前記伝達レバー２０６の上側面の歯車列と噛合される。前記第１回転歯車２２０には、前記第１回転軸２２０ａに同軸結合された第１連動歯車２２２が一体形成され、該第１連動歯車２２２には第２回転軸２２４ａによって回転可能に支持される第１中間歯車２２４が噛合され、該第１中間歯車２２４には前記第２回転軸２２４ａと同軸的に第２連動歯車２２６が一体形成される。
【００３３】
前記第２連動歯車２２６には、第３回転軸２２８ａに結合される第２中間歯車２２８が噛合され、該第２中間歯車２２８には、力の伝達方向で見て逆回転力が後端に伝達されないようにするための逆回転防止構造を持つ逆回転防止歯車２３０が、前記第３回転軸２２８ａに同軸的に結合される。
【００３４】
このような逆回転防止構造では、図５に示すように、前記逆回転防止歯車２３０の一側には、前記第２連動歯車２２６に噛合されながら前記第３回転軸２２８ａにより回転支持される前記第２中間歯車２２８が提供され、該第２中間歯車２２８の両側の延長部分の終端にはピボットピン２３０ａにより枢支される爪部２３０ｂが形成されるが、該爪部２３０ｂは、前記第２中間歯車２２８の延長部分の終端一側に定義されるストッパー部２３０ｃにより逆回転が制限されて、前記第２中間歯車２２８の正方向回転力（つまり、図５で矢印’Ａ’で表示された方向の回転力）が前記逆回転防止歯車２３０に伝達される。
【００３５】
また、前記爪部２３０ｂと対向する前記逆回転防止歯車２３０の内壁面にはその爪部２３０ｂの先端が結合されて前記第２中間歯車２２８の回転力をその逆回転防止歯車２３０に伝達して一体に回転されるようにするためのラチェット歯２３０ｄが一定間隔で形成され、ラチェット歯２３０ｄの間は、前記爪部２３０ｂの自由なスライドが可能なスライドガイド面２３０ｅとして定義される。
【００３６】
つまり、前記逆回転防止構造によれば、前記作動レバー２０２に外力が加えられることによって前記第２連動歯車２２６が回転する場合、該第２連動歯車２２６に噛合された第２中間歯車２２８が図５の矢印’Ａ’方向に回転されると、その両側終端に枢動可能に結合された前記爪部２３０ｂが前記逆回転防止歯車２３０の内壁面に形成されたラチェット歯２３０ｄにかかり、これにより、逆回転防止歯車２３０に前記第２中間歯車２２８の回転力が伝達され、前記逆回転防止歯車２３０も前記第２中間歯車２２８と同一の方向（つまり、図５の矢印’Ａ’方向）に回転する。
【００３７】
一方、前記作動レバー２０２の加圧動作が解除されると、弾性部材（図２の２４８参照）によりその作動レバー２０２に一体形成されたレバー２０６が外部に引き出されながら前記第２中間歯車２２８が逆回転するが、該第２中間歯車２２８の両側終端に形成された爪部２３０ｂは、前記逆回転防止歯車２３０の内壁面で前記ラチェット歯２３０ｄの間のスライドガイド面２３０ｅをスライドしながら逆回転（つまり、図５の矢印’Ｂ’方向に回転）し、これにより、前記第２中間歯車２２８は前記逆回転防止歯車２３０と分離された状態で逆回転する一方、前記逆回転防止歯車２３０は、現在の回転状態を保つ慣性回転を持続する。
【００３８】
また、図４を参照すると、前記逆回転防止歯車２３０には第４回転軸２３２ａに回転可能に結合された第３中間歯車２３２が噛合され、該第３中間歯車２３２には、ジェネレータモジュール２３４のモータ回転軸２３４ａに一体に連結された軸歯車２３６が連結される。
【００３９】
本発明では、前記歯車２２０、２２２、２２４、２２６、２２８、２３０、２３２の歯車比を適宜に設定して前記ジェネレータモジュール２３４のシャフトギア２３６が高速のＲＰＭで回転するようにするのが好ましい。
【００４０】
前記ジェネレータモジュール２３４は、前記シャフトギア２３６の外側に固定されながらコアに巻線が所定数に巻き取られたステ−ター２３８と、該ステ−ター２３８の外周に設けられ、また、前記モータ回転軸２３４ａと一体結合されたローター２４０とから構成される。ここで、前記ローター２４０の内壁面には環状の、Ｎ極とＳ極が交互に配設されたマグネット部材２４２が配置されるが、該マグネット部材２４２のＮ極とＳ極は、前記ローター２４０の回転トルクの向上のために一定の角度に傾斜して着磁される。
【００４１】
また、前記ローター２４０の慣性回転力を増加させるために、そのローター２４０上には前記モータ回転軸２３４ａに一体結合される重り２４４が設けられる。それに加え、前記ジェネレータモジュール２３４には前記ステーター２３８から出力される発電電力を平滑化してその平滑化された電力をＤＣレベルに変換するための回路が設計されたＰＣＢ２４６が形成され、該ＰＣＢ２４６の出力端に前記給電ポート２０８が電気的に連結される。
【００４２】
一方、前記作動レバー２０２の加圧作用が解除された場合、その作動レバー２０２を再度初期位置に復帰させるために、前記旋回軸２０４に嵌合されながら一端は前記発電機本体２００に固定され、他端は前記作動レバー２０２の底面に結合された弾性部材２４８が備えられる。
【００４３】
図６は、上記の本発明の好ましい第１実施例による、発電機が結合された携帯型信号灯の電気系統図である。
【００４４】
前記作動レバー２０２の反復的な操作により前記ジェネレータモジュール２３４から発生した電力は、前記ＰＣＢ２４６上に設計された電源レギュレータ２５０で平滑化されるともに所定のＤＣレベルに変換され、前記給電ポート２０８から前記電力線３０を介して前記電源ポート２１６に印加されて前記充電池パック２１０の充電池セルに充電される。
【００４５】
前記充電池パック２１０に充電された電源は、後段の電圧変換部２５２でレベル減圧または昇圧され、前記電源ポート２１６から前記外部の電源負荷機器として例示された携帯用の無線送信機４０に前記電力線３０を介して動作電力として印加される。
【００４６】
そして、前記電源レギュレータ２５０により平滑化されるとともにＤＣレベルに変換された電力は、前記電源スイッチ１１２により設定される位置にしたがって前記ＬＥＤ素子１０８だけが点灯（または点滅）するように印加されてもよく、前記ＬＥＤ素子１０８と前記ランプ１１０が全て点灯するように印加されてもよい。
【００４７】
ここで、前記発光部１０の発光部本体１００と前記発電機２０の本体２００が相互一体に結合された状態であれば、前記電源レギュレータ２５０から提供されるＤＣレベルの電源が前記電源スイッチ１１２により前記ＬＥＤ素子１０８のみに、またはそのＬＥＤ素子１０８と前記ランプ１１０に同時に印加されるようにしてもよいが、前記発光部本体１００の所定位置に前記給電ポート２０８と対応する受電ポート（図７を参照して後述する）を形成して、前記充電池パック２１０に充電された電源が前記電源ポート２１６から前記電力線３０を介して前記受電ポートに印加されるようにし、該受電ポートから印加された電源により前記ＬＥＤ素子１０８のみ、または前記ＬＥＤ素子１０８と前記ランプ１１０が同時に作動するようにしてもよい。
【００４８】
前述の本発明の好ましい実施例による発電機を備えた携帯型信号灯によれば、前記作動レバー２０２を前記本体２００の下端に設けられた前記ロック部材２００ａからロック解除すると、前記弾性部材２４８の弾性力によって前記作動レバー２０２が前記本体２００の側面凹部から離脱して初期位置に引き出される。この状態で前記作動レバー２０２を加圧すると、該作動レバー２０２に一体連結された前記伝達レバー２０６が前記第１回転歯車２２０を回転させ、該第１回転歯車２２０の回転が前記第１連動歯車２２２を通じて前記第１中間歯車２２４に伝達されてその第１中間歯車２２４と第２連動歯車２２６が回転する。
【００４９】
前記第２連動歯車２２６の回転により前記第２中間歯車２２８が回転するが、該第２中間歯車２２８の回転のとき前記爪部２３０ｂが前記逆回転防止歯車２３０の内壁面に形成されたラチェット歯２３０ｄにかかり、これにより、前記第２中間歯車２２８の回転が前記逆回転防止歯車２３０に伝達されてその逆回転防止歯車２３０も回転することになる。
【００５０】
この逆回転防止歯車２３０の回転は、前記第３中間歯車２３２を通じて前記シャフトギア２３６を所定のＲＰＭで回転させ、そのシャフトギア２３６の回転により、前記マグネット部材２４２が内壁面に着磁されたローター２４０が前記ステーター２３８を中心に回転することになる。そのローター２４０の回転は、前記マグネット部材２４２のＮ極とＳ極の傾斜した着磁によりトルクが十分に確保されながら行われ、前記重り２４４によりそのローター２４０の慣性回転力が十分に確保される。
【００５１】
そして、前記作動レバー２０２に加えられる作用力が解除されると、前記弾性部材２４８によりその作動レバー２０２は初期位置に戻る。このように前記作動レバー２０２が初期位置に戻ると、前記伝達レバー２０６が外部に引き出されながら前記歯車２２０、２２２、２２４、２２６、２２８は逆回転するが、前記第２中間歯車２２８の両側終端に設けられた爪部２３０ｂは、前記逆回転防止歯車２３０の内壁面で前記ラチェット歯２０３ｄの間のスライドガイド面２３０ｅの上面に沿ってスライドしながら逆回転（つまり、図５の矢印’Ｂ’方向に回転）する。これにより、前記逆回転防止歯車２３０は逆回転することなく現在の回転方向による慣性回転を持続して前記第４歯車２３２と前記シャフトギア２３６の慣性回転が保持される。
【００５２】
したがって、前記作動レバー２０２の反復的な操作により前記ジェネレータモジュール２３４では所定の電圧が発生する。その電圧は、前記ＰＣＢ２４６上に配置された電圧レギュレータ２５０で平滑化されるとともにＤＣレベルに変換され、前記充電池パック２１０を充電するために前記給電ポート２０８から前記電力線３０を介して前記充電池パック２１０の電源ポート２１６に印加される。
【００５３】
前記充電池パック２１０に充電された電源は、前記電源ポート２１６から前記電力線３０を介して前記電源スイッチ１１２により設定されるＬＥＤ素子１０８の発光、または前記ＬＥＤ素子１０８とランプ１１０の同時点灯のために印加される。
【００５４】
ここで、前記ＬＥＤ素子１０８とランプ１１０の駆動のための電源は、前記電源レギュレータ２５０から直接印加されるようにしてもよい。
【００５５】
また、前記充電池パック２１０に充電された電源は、前記電源ポート２１６から前記電力線３０を介して外部の電源負荷機器、例えば携帯用の無線送信機４０に動作電力としても印加される。
【００５６】
図７は、本発明の好ましい第１実施例による、発電機が結合された携帯型信号灯の構成の改良例を示す図である。
図７に示した携帯型信号灯は、前記発光部１０の発光部本体１００と前記発電機２０の本体２００が着脱可能な構造に設計された以外は、その全体的な構成は上記の第１実施例の一例と同様である。
【００５７】
つまり、前記発光部１０の発光部本体１００の下側内壁には雌螺子部１００ａが形成され、それに対応して前記発電機２０の本体２００の上端にはその上向き延長部２６０の外周に雄螺子部が形成される。
したがって、前記発光部１０と前記発電機２０は、前記発光部本体１００の下側内壁に形成された雌螺子部１００ａと前記発電機本体２００の上向き延長部２６０の外周に形成された雄螺子部により相互着脱可能になる。
【００５８】
ここで、前記発光部本体１００を構成するＬＥＤ素子１０８と前記ランプ１１０の動作電力を印加するために、前記発光部本体１００の所定位置には受電ポート１２０が形成され、該受電ポート１２０に前記電力線３０を介して前記充電池パック２１０の電源ポート２１６（または、前記給電ポート２０８）から充電電源が印加される。
【００５９】
図８は、図７に示した本発明の好ましい第１実施例による発電機器が結合された携帯型信号灯の構成の変形例を示す図である。
図８の変形例では、前記発光部本体１００の下側中央に電源受電ジャック１３０が設置され、前記発電機２０の本体２００の上向き延長部２６０の中央には前記電源受電ジャック１３０に対応する電源給電ジャック２６２が設置されて前記電源レギュレータ２５０からの電源が直接印加される。
【００６０】
すなわち、前記発光部本体１００の下側内壁に形成された雌螺子部１００ａと前記発電機２０の本体２００の上向き延長部２６０の外周に形成された雄螺子部が相互結合されると、前記発光部本体１００の下側中央に形成された電源受電ジャック１３０に、前記発電機２０の本体２００の上向き延長部２６０の電源給電ジャック２６２から前記電源レギュレータ２５０の電源が直接印加されることにより前記ＬＥＤ素子１０８と前記ランプ１１０が駆動される。
【００６１】
図９は、本発明の好ましい第２実施例による、発電機が結合された携帯型信号灯の構成の一例を示す図である。
【００６２】
本実施例によれば、前記発光部１０の発光部本体１００の内側面には２種のカラー（つまり、赤色と緑色）に対する選択的な発光がなされるように第１カラー（赤色）の発光のための複数の第１列のＬＥＤ素子１０８ａと、第２カラー（緑色）の発光のための複数の第２列のＬＥＤ素子１０８ｂが一定の間隔で配設される。
【００６３】
そして、前記発光部本体１００の内壁面に貼り付けられる前記発光シート１０４は、前記第１列のＬＥＤ素子１０８ａの赤色光はそのまま投光されながら、前記第２列のＬＥＤ１０８ｂの緑色光は何の影響も受けないように、そのカラーが緑色として選択される。
【００６４】
このような構成において、上記の第１実施例で説明された前記発電機２０の発電作用により発生した電力は、電源スイッチ１１２により第１列のＬＥＤ素子１０８ａに印加されて緑色光が発されるようにし、あるいは、第２列のＬＥＤ素子１０８ｂに印加されて緑色光が発されるようにすると同時に、選択的に前記ランプ１１０も点灯させる。
【００６５】
図１０は、図９に示した本発明の好ましい第２実施例による、発電機が結合された携帯型信号灯の構成の改良例を示す図であり、図１１は、図１０に示した本発明の好ましい第２実施例による、発電機が結合された携帯型信号灯の構成の変形例を示す図である。
【００６６】
図１０では、上記の第１実施例に係る図７におけると同様な構成原理に基づき、第１カラーの発光のための第１列のＬＥＤ素子１０８ａと第２カラーの発光のための第２列のＬＥＤ素子１０８ｂに選択的に電源を印加し、所望の第１カラーまたは第２カラーを選択的に発光させることができる。
【００６７】
そして、図１１では、上記の第１実施例に係る図８におけると同様な構成原理に基づき、第１カラーの発光のための第１列のＬＥＤ素子１０８ａと第２カラーの発光のための第２列のＬＥＤ素子１０８ｂに選択的に電源を印加し、所望の第１カラーまたは第２カラーを選択的に発光させることができる。
【００６８】
図１２は、本発明の好ましい第２実施例による、発電機が結合された携帯型信号灯の電気系統図である。
【００６９】
図１２を参照すると、前記発電機２０から発電された電力は、ＰＣＢ２４６上の電源レギュレータから前記電源スイッチ１１２側に印加されるようにするか、前記給電ポート２０８または前記充電池パック２１０から電力線３０を介して前記電源スイッチ１１２側に印加されるようにして、前記電源スイッチ１１２の選択によって前記ランプ１１０の駆動に適用されるようにするか、前記第１および第２列のＬＥＤ素子１０８ａ、１０８ｂの一端に印加されるようにする一方、それら第１および第２列のＬＥＤ素子１０８ａ、１０８ｂの他端は、整流部３００で整流された電源により発振作用を行うマルチバイブレータ３０２の出力端に共通接続される。
【００７０】
したがって、本発明の第２実施例では、前記発電機２０の作動レバー２０２の反復的な操作により前記ジェネレータモジュール２４４から発電された電源が、前記電源レギュレータ２５０から直接印加されるか、前記給電ポート２０８または前記充電池パック２１０から電力線３０を介して印加される。
【００７１】
この状態で、前記電源スイッチ１１０をランプ点灯位置に設定すると前記ランプ１１０が点灯し、前記電源スイッチ１１２を、例えば第２接点側にスライド接続すると、前記第１列のＬＥＤ素子列１０８ａによる赤色発光がなされる。
【００７２】
つまり、前記電源スイッチ１１２を経由する電源は、前記整流部３００で整流された後マルチバイブレータ３０２に印加され、これにより、前記マルチバイブレータ３０２はキャパシタの相補的な充・放電により発振が可能になる。前記マルチバイブレータ３０２の発振出力は、前記第１列のＬＥＤ素子１０８ａに印加され、これにより、前記第１列のＬＥＤ素子列１０８ａによる赤色光の点滅駆動が起こる。ここで、前記第１列のＬＥＤ素子列１０８ａから発される赤色の光信号は、前記緑色の発光シート１０４に影響を受けないので、赤色そのままに発光される。
【００７３】
一方、前記電源スイッチ１１２を、例えば第３接点側にスライド接続させると、前記第１列のＬＥＤ素子１０８ａによる赤色の発光動作と同様に、前記第２列のＬＥＤ素子１０８ｂによる緑色発光の駆動がなされるが、この第２列のＬＥＤ素子１０８ｂによる緑色光は、前記緑色の発光シート１０４を通過して発散されるので、正常な緑色の信号光が伝達される。
【００７４】
そして、前記充電池パック２１０の電源ポート２１６に前記電力線３０を介して携帯用無線送信機などの外部の電源負荷機器を接続すると、その電源負荷機器に対する充電（または、動作）電源の供給が可能になる。
【００７５】
上述のように、本発明による発電機が結合された携帯型信号灯によれば、発電機から発電される電源をＬＥＤ素子駆動に適用できるため、バッテリの使用に伴う交換管理を行わずに済み、経済的な側面でも相当有利となる。
【００７６】
また、前記発電機に着脱可能に装着される充電池パックに充電された電源を、携帯用無線送信機などの外部の電源負荷機器に動作電力として印加できるので、バッテリの電源消耗に起因する、携帯型信号灯や外部の電源負荷機器での異常作動や動作不能といった問題を解消することができる。
【００７７】
また、本発明による発電機が結合された携帯型信号灯は、前記発電機により発電される電力により、単色（赤色）または多色（赤色と緑色）の選択的な発光が可能となるので、色による識別ができるようになる。また、照明のためのランプが一体形成されるので、別の照明機器を備えることなく所望の位置を照らすことができる。
【００７８】
一方、本発明は、上記の実施例に限定されるのではなく、本発明の技術的な要旨および要点を逸脱しない範囲内でさまざまな変更および変形実施が可能なことは言うまでもない。例えば、前記発電機の形態は、上記の構成に限定されることなく、発光部本体に一体結合されたり着脱可能に装着されたりして発電可能なものならいずれの構成も適用可能である。
【図面の簡単な説明】
【図１】本発明の好ましい第１実施例による、発電機を備えた携帯型信号灯の構成の一例を示す図である。
【図２】図１に示した発電機の外観構成を説明するための概略斜視図である。
【図３】図２に示した発電機に着脱自在に結合される充電池パックの結合構造を説明するための図である。
【図４】図２と図３に示した発電機の詳細構造を説明するための側断面図である。
【図５】図４に示した逆回転防止歯車に構成される逆回転防止構造を説明するための図である。
【図６】本発明の好ましい第１実施例による、発電機を備えた携帯型信号灯の電気系統図である。
【図７】本発明の好ましい第１実施例による、発電機を備えた携帯型信号灯の構成の改良例を示す図である。
【図８】図７に示した本発明の好ましい第１実施例による、発電機を備えた携帯型信号灯の構成の変形例を示す図である。
【図９】本発明の好ましい第２実施例による、発電機を備えた携帯型信号灯の構成の一例を示す図である。
【図１０】図９に示した本発明の好ましい第２実施例による、発電機を備えた携帯型信号灯の構成の改良例を示す図である。
【図１１】図１０に示した本発明の好ましい第２実施例による、発電機を備えた携帯型信号灯の構成の変形例を示す図である。
【図１２】本発明の好ましい第２実施例による、発電機を備えた携帯型信号灯の電気系統図である。
【図６】
2004515885.tif 000003
【図１２】
2004515885.tif 000004
【国際公開パンフレット】
2004515885.tif 000005
2004515885.tif 000006
2004515885.tif 000007
2004515885.tif 000008
2004515885.tif 000009
2004515885.tif 000010
2004515885.tif 000011
2004515885.tif 000012
2004515885.tif 000013
2004515885.tif 000014
2004515885.tif 000015
2004515885.tif 000016
2004515885.tif 000017
2004515885.tif 000018
2004515885.tif 000019
2004515885.tif 000020
2004515885.tif 000021
2004515885.tif 000022
2004515885.tif 000023
2004515885.tif 000024
2004515885.tif 000025
2004515885.tif 000026
2004515885.tif 000027
2004515885.tif 000028
2004515885.tif 000029
2004515885.tif 000030
2004515885.tif 000031
2004515885.tif 000032
2004515885.tif 000033
2004515885.tif 000034
2004515885.tif 000035
2004515885.tif 000036
2004515885.tif 000037
2004515885.tif 000038
2004515885.tif 000039
2004515885.tif 000040
2004515885.tif 000041
2004515885.tif 000042
2004515885.tif 000043
2004515885.tif 000044
2004515885.tif 000045
【国際調査報告】
2004515885.tif 000046
2004515885.tif 000047